(57)【要約】      （修正有）【課題】日本語の効率的な入力のためのキーボード装置を提供する。【解決手段】キーボード装置は、日本語入力用の左右指の交互打けん率、ストローク数の低減、各指の使用率及びバランス性を考えたキー配列を有する。頻度が高いキーをキーボードの上端１に置き、頻度が低いキーを下端２に置く。人差指、中指の領域に頻度が高いキーを置き、左右指を交差的に使って疲れを負担するバランス性を考慮することで、子音の役割に該当する「ふ」、「つ」、「く」、「す」、「む」、「ぬ」、「る」キーがキーボードの左側の領域に、母音の役割に該当する「あ」、「う」、「え」、「お」及び半母音の「や」、「ゆ」、「よ」、濁点「゛」、半濁点「゜」、そして撥音「ん」キーがキーボードの右側の領域に配置される。【選択図】図１
0003225757.tif 000002
【実用新案登録請求の範囲】
【請求項１】
キーボードの「ふ」、「つ」、「く」、「す」、「む」、「ぬ」、「る」キーはそれ自体のキーを表す功能を持つうえで、それぞれローマ字の「Ｈ」、「Ｔ」、「Ｋ」、「Ｓ」、「Ｍ」、「Ｎ」、「Ｒ」の子音の功能も持ち、母音キーの「あ」、「え」、「お」との組合で「あ」、「え」、「お」列のカナ文字を表示する日本語を入力するキーボード装置が請求範囲です。
【請求項２】
左側の領域に子音の役割に該当する「ふ」、「つ」、「く」、「す」、「む」、「ぬ」、「る」キー及び「い」列の「い」、「き」、「し」、「み」、「り」、「ち」キー、そして本入力装置で特殊入力に使われる「わ」キーを配置し、右側の領域に「い」列の「に」、「ひ」キー、母音キーの「え」、「う」、「あ」、「お」、半母音キーの「や」、「よ」、「ゆ」キー及び濁点「゛」、半濁点「゜」、そして撥音「ん」キーを配置し、子音と母音キーの組み合わせで「あ」、「え」、「お」列のカナ文字を表示することを特徴とする請求項１に記載の日本語を入力するキーボード装置です。
【請求項３】
キーボードの「わ」キーは拗音を表すのに使われる小書き文字「ゃ」、「ゅ」、「ょ」を表示するのに使われる補助キーとなり、小書き文字の「ぁ」、「ぉ」を表すのにも使用される一方半濁点「゜」キーは小書き文字の「ぃ」、「ぇ」或いは促音「っ」を表すのに使われることを特徴とする請求項１に記載の日本語を入力するキーボード装置です。
【考案の詳細な説明】
【技術分野】
【０００１】  本考案は、日本語入力を効率的行えるようにしたキー配列を持つキーボード装置です。
【背景技術】
【０００２】  従来のカナ文字入力の特徴を活かしながら、特定キーに子音功能を付与し、母音キーとの組合でカナ文字が表示できている。
【考案の概要】
【考案が解決しようとする課題】
【０００３】  今まで主流になっている日本語入力方式にはカナ文字入力方式とローマ字入力が挙げられる。カナ文字入力方式はひとつのカナ文字そのまま打つといる利点があるが、キーボードで４段に配列されているため打ち難い、５０以上キー数があるため覚え難い、そしてブラインドタッチが難しいことなどでマスターしにくいという点がユーザーのアプローチの障壁になる。これに対してローマ字入力はカナ文字の発音をローマ字でうちため、アプローチしやすいであるが、英文用の配列であるため、リズミカルな打けん操作が行いくいこと、母音キーと子音キーが左右に混在していること、ローマ字入力で必要としない文字キーが含まれていること、一つのかな文字に相当するローマ字のストローク数が多いことなどのデメリットがある。【０００４】  本考案が解決しようとする課題は各キー頻度数のデータ分析によって左右指の交互打けん率、ストローク数の低減、各指の使用率及びバランス性を良く考慮したうえで配置されたキー配列でより効率性が高い日本語入力キーボード装置を提案することである。
【課題を解決するための手段】
【０００５】  本考案の入力装置は子音の役割を果たすキー（ふ、つ、く、す、む、ぬ、る）と母音キーを次々に入力して、プログラムにより本入力規則に従って入力を実現する。例えば「さ」というキーを入力する場合は「す」＋「あ」の組合でプログラムによって「さ」と表す。同じ規則で「め」＝「む」＋「え」、「ろ」＝「る」＋「お」の組合になる。すなわち、「あ」、「え」、「お」列のカナ文字は対応する「う」列のカナ文字と母音「あ」、「え」、「お」の組合で表すことができ、キーボードから直接的に表せず、キーボードに必要なキー数を減らすことができる。【０００６】  以下の３つのキーの配置基準を定める。
ア．頻度が高いキーをキーボードの上端１におく、低いキーを下端２におく。
イ．人差指、中指領域に頻度が高いキーをセティング。
ウ．左右指を交差的使って疲れを分担するバランス性を考慮。
【考案の効果】
【０００７】  キーポード左側の領域に子音と拗音の役割を果たす「う」、「い」列のキーが配置され、右側の領域に母音と半母音、濁点、半濁点、撥音及び一部の「い」列のキーを配置されて、入力する際に左右手を交差的に使うことでバランス性が良いことあるいはブラインドタッチまでの習得時間が相対的に短く、アプローチしやすいということで目的の効果が得られた。【０００８】  各指の使用率に示した図７と図８のように人差指、中指領域に頻度に頻度が高いキーが配置され、入力しにくい薬指と小指には負担が減って疲れを分担する目的の効果が得られた。
【図面の簡単な説明】
【０００９】
【図１】本考案で提案する日本語入力キーボード装置に該当する各キーの位置を示す図。
【図２】本考案で提案する日本語入力キーボード装置に該当する左手の各指の使用率を示す図。（左から小指、薬指、中指、人差し指の順である）
【図３】本考案で提案する日本語入力キーボード装置に該当する右手の各指の使用率を示す図。（左から小指、薬指、中指、人差し指の順である）
【考案を実施するための形態】
【００１０】  以下、本考案に係る日本語入力キーボード装置に対して説明すると次のとおりである。
【００１１】  図１に示された配列の各キーはそれ自体のカナ文字を入力できる、そこで「わ」キーは拗音または小書き文字を表すのに使われるキーとなり、さらに「を」キーを入力する際に「わ」キーを二回入力するようになっている。
【００１２】  「あ」、「え」、「お」列のカナ文字は「う」列のカナ文字（く、す、つ、ぬ、ふ、む、る）の何れか一つのキーをまず入力してから母音の「あ」、「え」、「お」キーを入力することで表示することになる。例：「か」＝「く」＋「あ」、「せ」＝「す」＋「え」、「も」＝「む」＋「お」。
【００１３】  「あ」、「え」、「お」列の濁音と半濁音カナ文字は「う」列のカナ文字（く、す、つ、ふ）の何れか一つのキーをまず入力してから母音キーを入力したうえで対応する濁音「゛」または半濁音「゜」キーを入力することで表示することになる。例：「か」＝「く」＋「あ」＋「゛」。
【００１４】  「い」、「う」列の濁音と半濁音カナ文字は「い」または「う」列のカナ文字（く、き、す、し、つ、ち、ふ、ひ）の何れか一つのキーをまず入力してから濁音「゛」または半濁音「゜」キーを入力することで表示することになる。例：「ぐ」＝「く」＋「゛」、「ぴ」＝「ひ」＋「゜」。
【００１５】  拗音カナ文字の入力は「い」列のカナ文字（き、し、ち、に、ひ、み、り）の何れか一つのキーをまず入力してから「わ」キーを入力したうえで対応する半母音キー「や」、「ゆ」、「よ」を入力することで表示することになる。例：「きゃ」＝「き」＋「わ」＋「や」、「りょ」＝「り」＋「わ」＋「よ」。
【００１６】  小書き文字と促音入力は「わ」キーをまず入力してから「あ」、「お」、「や」、「ゆ」、「よ」キーを入力することにより小書き文字「ぁ」、「ぉ」、「ゃ」、「ゅ」、「ょ」入力できる。一方「ぃ」、「ぅ」、「ぇ」の小書き文字は「い」、「う」、「え」キーと半濁音の「゜」キーとの組み合わせ表示することになる。例：「ぁ」＝「わ」＋「あ」、「ぃ」＝「わ」＋「゜」。
【００１７】  図１の３の「‘」キーは入力規則による変換が望ましくない場合に使うキーである。例えば「増える」という単語を入力するとして「ふえる」が本入力規則によると「ふ」と「え」の組合が「へ」になるため実際には「減る」になる。そこでその「‘」キーを使って「ふ’える」と入力し、変換をふせぐことにする。
【産業上の利用可能性】
【００１８】  本考案の入力装置はアルゴリズムが複雑ではないためユーザーとしてアプローチしやすく、産業での利用も期待することができる。
【符号の説明】
【００１９】  １  キーボードの上端
２  キーボードの下端
３  変換を防ぐ際に使うキー
【図１】
0003225757.tif 000003
【図２】
0003225757.tif 000004
【図３】
0003225757.tif 000005
【手続補正書】
【提出日】令和1年10月14日(2019.10.14)
【手続補正１】
【補正対象書類名】実用新案登録請求の範囲
【補正対象項目名】全文
【補正方法】変更
【補正の内容】
【実用新案登録請求の範囲】
【請求項１】
キーボードの上端には「き」、「ふ」、「つ」、「く」、「す」、「に」、「ん」、濁点「゛」、半濁点「゜」、「ひ」、「し」、「む」、「ぬ」、「い」、「る」、「え」、「う」、「あ」、「お」キーを順繰りに配置して日本語を入力するキーボード装置。
【請求項２】
左側の領域に子音の役割に該当する「ふ」、「つ」、「く」、「す」、「む」、「ぬ」、「る」キー及び「い」列の「い」、「き」、「し」、「み」、「り」、「ち」キー、そして本入力方式で特殊入力に使われる「わ」キーを配置し、右側の領域に「い」列の「に」、「ひ」キー、母音キーの「え」、「う」、「あ」、「お」、半母音キーの「や」、「よ」、「ゆ」キー及び濁点「゛」、半濁点「゜」、そして撥音「ん」キーを配置し、子音と母音キーの組み合わせで「あ」、「え」、「お」列のカナ文字を表示することを特徴とする日本語を入力するキーボード装置。
【請求項３】
キーボードの下端には「み」、「り」、「ち」、「わ」、「や」、「よ」、「ゆ」キーを順繰りに配置して日本語を入力するキーボード装置。
【手続補正書】
【提出日】令和2年1月14日(2020.1.14)
【手続補正１】
【補正対象書類名】実用新案登録請求の範囲
【補正対象項目名】全文
【補正方法】変更
【補正の内容】
【実用新案登録請求の範囲】
【請求項１】
キーボードの上端には「き」、「ふ」、「つ」、「く」、「す」、「に」、「ん」、濁点「゛」、半濁点「゜」、「ひ」、「し」、「む」、「ぬ」、「い」、「る」、「え」、「う」、「あ」、「お」キー、キーボードの下端には「み」、「り」、「ち」、「わ」、「や」、「よ」、「ゆ」キーを順繰りに配置して日本語を入力するキーボード装置。
【請求項２】
左側の領域に子音の役割に該当する「ふ」、「つ」、「く」、「す」、「む」、「ぬ」、「る」キー及び「い」列の「い」、「き」、「し」、「み」、「り」、「ち」キー、そして本入力方式で特殊入力に使われる「わ」キーを配置し、右側の領域に「い」列の「に」、「ひ」キー、母音キーの「え」、「う」、「あ」、「お」、半母音キーの「や」、「よ」、「ゆ」キー及び濁点「゛」、半濁点「゜」、そして撥音「ん」キーを配置し、子音と母音キーの組み合わせで「あ」、「え」、「お」列のカナ文字を表示することを特徴とする請求項１記載のキーボード装置。